(57)【特許請求の範囲】
【請求項１】
手書きの文字が入力される入力領域と、
前記入力領域の周りを囲むように配置された始点領域と、
手書き文字の書き始めの点が前記始点領域に含まれるか否かを判定する領域判定部と、
前記領域判定部により手書きの文字の書き始めの点が前記始点領域内に含まれていると判定された場合、該始点領域内からの書き始めの直前の段階で一文字の区切りがついたと認識する認識部と、
を備えることを特徴とする手書き情報認識装置。
【請求項２】
前記入力領域の傾斜度を検出する傾斜センサをさらに備え、
前記傾斜センサにより検出された傾斜度に基づいて前記始点領域が前記入力領域の外側の一部に配置されることを特徴とする請求項１に記載の手書き情報認識装置。
【請求項３】
前記始点領域は、前記傾斜度に基づいて前記入力領域の上側に配置される状態と前記入力領域の左側に配置される状態と前記入力領域の下側に配置される状態と前記入力領域の右側に配置される状態とに切り替わるか、または前記傾斜度に基づいて前記入力領域の上側および左側に配置される状態と前記入力領域の下側および右側に配置される状態とに切り替わることを特徴とする請求項２に記載の手書き情報認識装置。
【請求項４】
前記認識部は、前記始点領域内から書き始められ、前記入力領域の中央部に向かって伸び、前記入力領域の中央部において所定の字体に書かれた筆跡情報を、前記始点領域内の書き始めの点から前記入力領域の中央部まで伸びる部分のない文字として認識することを特徴とする請求項１〜３のいずれか一つに記載の手書き情報認識装置。
【請求項５】
プロセッサが、入力領域の周りを囲むように配置されている始点領域内から手書きの文字が書き始められたか否かを判定するステップと、
手書きの文字の書き始めの点が前記始点領域内に含まれていると判定された場合、前記プロセッサが、該始点領域内からの書き始めの直前の段階で一文字の区切りがついたと認識して一文字を確定するステップと、
手書きの文字の書き始めの点が前記入力領域内に含まれていると判定された場合、前記プロセッサが、一文字の途中段階であると認識して文字の認識を続けるステップと、
をコンピュータに実行させることを特徴とする手書き情報認識プログラム。
【発明の詳細な説明】
【技術分野】
【０００１】
この発明は、手書き情報認識装置および手書き情報認識プログラムに関する。
【背景技術】
【０００２】
従来、ユーザが指やペンを用いて手書きで入力した情報を文字として認識する情報処理装置がある。そのような装置には、例えば手書きで文字を入力する領域としてタッチパネルに一文字分の領域が設けられているものがある。また、ユーザが手書きで入力した文字の区切りごとにボタンに触れることによって文字の区切りを確定する装置がある。また、指やペンによる入力の一ストロークごとに認識して候補文字列を生成し、最も類似した文字列をユーザが書いた文字列として確定する装置がある。
【先行技術文献】
【特許文献】
【０００３】
【特許文献１】特開平９−１６７０９号公報
【特許文献２】特開平７−３１１６５６号公報
【特許文献３】特開２００７−２２０１４５号公報
【発明の概要】
【発明が解決しようとする課題】
【０００４】
しかしながら、従来の装置では、ユーザは文字の区切りごとに、表示された複数の文字の候補の中から一つを選択したり特定のボタンを押すという文字を書く動作に関係のない動作を行うため、連続して文字を自然に入力することができないという問題点がある。また、ユーザが手書きで文字を入力している途中で一定時間入力がないときに文字の区切りとする装置がある。そのような装置ではユーザは文字の区切りごとに間を空けながら一文字ずつ文字を書くため、連続して文字を自然に入力することができないという問題点がある。
【０００５】
連続して文字を入力することができる手書き情報認識装置および手書き情報認識プログラムを提供することを目的とする。
【課題を解決するための手段】
【０００６】
手書き情報認識装置は、入力領域、始点領域、領域判定部および認識部を備える。入力領域は、手書きの文字が入力される領域である。始点領域は入力領域の外側に配置されている。領域判定部は、手書き文字の書き始めの点が始点領域に含まれるか否かを判定する。認識部は、領域判定部により手書きの文字の書き始めの点が始点領域内に含まれていると判定された場合、この始点領域内からの書き始めの直前の段階で一文字の区切りがついたと認識する。
【０００７】
手書き情報認識プログラムは、判定ステップ、確定ステップおよび認識ステップをコンピュータに実行させる。判定ステップでは、プロセッサが、入力領域の外側に配置されている始点領域内から手書きの文字が書き始められたか否かを判定する。手書きの文字の書き始めの点が始点領域内に含まれていると判定された場合、確定ステップでは、プロセッサが、この始点領域内からの書き始めの直前の段階で一文字の区切りがついたと認識して一文字を確定する。手書きの文字の書き始めの点が入力領域内に含まれていると判定された場合、認識ステップでは、プロセッサが、一文字の途中段階であると認識して文字の認識を続ける。
【発明の効果】
【０００８】
この手書き情報認識装置および手書き情報認識プログラムによれば、連続して文字を入力することができる。
【図面の簡単な説明】
【０００９】
【図１】実施例１にかかる手書き情報認識装置を示すブロック図である。
【図２】実施例１にかかる手書き情報認識処理を示すフローチャートである。
【図３】実施例２にかかる手書き情報認識装置のハードウェア構成を示すブロック図である。
【図４】実施例２にかかる手書き情報認識装置のタッチパネルの構成を示す図である。
【図５】実施例２にかかる手書き情報認識装置の機能的な構成を示すブロック図である。
【図６】実施例２にかかる手書き情報認識処理を示すフローチャートである。
【図７】手書きによる平仮名の入力例を示す図である。
【図８】手書きによる平仮名の入力例を示す図である。
【図９】手書きによる平仮名の入力例を示す図である。
【図１０】手書きによる平仮名の入力例を示す図である。
【図１１】手書きによる記号の入力例を示す図である。
【図１２】実施例３にかかる手書き情報認識装置のハードウェア構成を示すブロック図である。
【図１３】実施例３にかかる手書き情報認識装置のタッチパネルの構成を示す図である。
【図１４】実施例３にかかる手書き情報認識装置のタッチパネルの構成を示す図である。
【図１５】実施例３にかかる手書き情報認識装置の機能的な構成を示すブロック図である。
【発明を実施するための形態】
【００１０】
以下に添付図面を参照して、この手書き情報認識装置および手書き情報認識プログラムの好適な実施の形態を詳細に説明する。手書き情報認識装置および手書き情報認識プログラムは、入力領域の外側に配置されている始点領域内から手書きの文字が書き始められた場合に、この始点領域内からの書き始めの直前の段階で一文字の区切りがついたと認識して一文字を確定するものである。以下の各実施例の説明においては、同様の構成要素には同一の符号を付して、重複する説明を省略する。
【００１１】
（実施例１）
・手書き情報認識装置の説明
図１は、実施例１にかかる手書き情報認識装置を示すブロック図である。図１に示すように、手書き情報認識装置は入力領域１、始点領域２、領域判定部３および認識部４を備える。入力領域１は、ユーザによって手書きの文字が入力される領域である。始点領域２は入力領域１の外側に配置されている。領域判定部３は、ユーザによって入力された手書き文字の書き始めの点が始点領域２に含まれるか否かを判定する。認識部４は、領域判定部３により手書きの文字の書き始めの点が始点領域２の範囲内に含まれていると判定された場合、この始点領域２の範囲内からの書き始めの直前の段階で一文字の区切りがついたと認識する。
【００１２】
上述した手書き情報認識装置において、入力領域１および始点領域２はタッチパネルやタブレットなどの手書きで文字を入力可能なハードウェアにより実現される。領域判定部３および認識部４は、図示省略するが、例えばプロセッサが手書き情報認識プログラムを実行することにより実現されてもよい。手書き情報認識プログラムは、例えば次に説明する手書き情報認識処理をコンピュータに実行させるプログラムであってもよい。手書き情報認識プログラムおよび入力中の手書き情報は、プロセッサがアクセス可能なメモリに格納されてもよい。
【００１３】
・手書き情報認識処理の説明
図２は、実施例１にかかる手書き情報認識処理を示すフローチャートである。図２に示すように、手書き情報認識処理が開始されると、まず、領域判定部３は、ユーザが始点領域２の範囲内から手書きの文字を書き始めたか否かを判定する（ステップＳ１）。領域判定部３により手書きの文字の書き始めの点が始点領域２内に含まれていると判定された場合（ステップＳ１：Ｙｅｓ）、認識部４は、始点領域２内からの書き始めの直前の段階で一文字の区切りがついたと認識して文字を確定する（ステップＳ２）。また、認識部４は、今回始点領域２から書き始められたことによって入力された情報を新たな一文字の開始であると認識する（ステップＳ３）。
【００１４】
一方、領域判定部３により手書きの文字の書き始めの点が入力領域１内に含まれていると判定された場合（ステップＳ１：Ｎｏ）、認識部４は、一文字の途中段階であると認識して文字の認識を続ける（ステップＳ３）。ステップＳ３に続いてステップＳ１に戻り、ユーザからの手書きの文字の入力が終了するまでステップＳ１からステップＳ３までを繰り返す。
【００１５】
実施例１によれば、ユーザが手書きの文字を始点領域２内から書き始めたときに自動的に一文字の区切りがつくので、ユーザは文字を書く動作に関係のない動作を行わずに済む。また、ユーザは文字の区切りごとに間を空けずに済む。従って、ユーザは連続して文字を自然に入力することができる。
【００１６】
（実施例２）
・手書き情報認識装置の説明
図３は、実施例２にかかる手書き情報認識装置のハードウェア構成を示すブロック図である。図３に示すように、手書き情報認識装置は、手書きで文字を入力可能なハードウェアとしての例えばタッチパネル１１、ディスプレイ１２、プロセッサとしてのＣＰＵ（Ｃｅｎｔｒａｌ  Ｐｒｏｃｅｓｓｉｎｇ  Ｕｎｉｔ、中央処理装置）１３およびメモリ１４を備えている。タッチパネル１１はディスプレイ１２の上に重ねられている。メモリ１４は手書き情報認識プログラムを格納している。ＣＰＵ１３はメモリ１４から手書き情報認識プログラムを読み出して実行する。
【００１７】
図４は、実施例２にかかる手書き情報認識装置のタッチパネルの構成を示す図である。図４に示すように、ディスプレイ１２には、入力領域２１、始点領域２２、文字の候補を表示する候補表示領域２３、確定された文字列や確定待ちの文字を表示する文字列表示領域２４が表示される。ユーザはタッチパネル１１を透過するそれらの各領域２１〜２４および各領域２１〜２４に表示される筆跡や文字などを視認することができる。ユーザはタッチパネル１１に指やペンで触れることによって、入力領域２１および始点領域２２に手書きの文字を入力し、また候補表示領域２３に表示された候補となる文字を選択することができる。一例として実施例２では始点領域２２が入力領域２１の四辺に沿って入力領域２１を囲むように配置されている。
【００１８】
図５は、実施例２にかかる手書き情報認識装置の機能的な構成を示すブロック図である。図５に示すように、手書き情報認識装置は、表示制御部３１、タッチパネル入力制御部３２、領域判定部３３、認識部３４、タイマ管理部３５および辞書３６を備えている。これらの各部３１〜３５および辞書３６は、ＣＰＵ１３が手書き情報認識プログラムを実行することにより実現される。
【００１９】
タッチパネル入力制御部３２は、ユーザが指やペンでタッチパネル１１に触れたこと（ペンダウン）や、ユーザがタッチパネル１１に触れていた指やペンをタッチパネル１１から離したこと（ペンアップ）を検出する。タッチパネル入力制御部３２は、指やペンがタッチパネル１１に触れているときにその指やペンが触れている箇所のタッチパネル１１における座標を求め、その座標の情報を領域判定部３３に渡す。領域判定部３３は、タッチパネル入力制御部３２から渡された座標の情報に基づいて、ユーザの手書きによる文字の書き始めの点が始点領域２２の範囲に含まれているか否かを判定する。
【００２０】
認識部３４は、タッチパネル入力制御部３２から渡された座標の情報を筆跡情報として、この筆跡情報に対する認識率の高い文字を辞書３６から選択し、候補の文字として認識する。辞書３６には種々の文字について筆跡情報と文字との対応関係が格納されている。タイマ管理部３５は、図示しないタイマを管理する。このタイマは、タッチパネル１１に触れていた指やペンがタッチパネル１１から離れてから指やペンがタッチパネル１１に再び触れるまでの時間を計測する。表示制御部３１は、ディスプレイ１２に入力領域２１、始点領域２２、候補表示領域２３、文字列表示領域２４、タッチパネル１１に触れた指やペンの軌跡、および候補の文字や確定した文字などを表示する際の画像処理および表示制御を行う。
【００２１】
・手書き情報認識処理の説明
図６は、実施例２にかかる手書き情報認識処理を示すフローチャートである。図６に示すように、手書き情報認識処理が開始されると、まず、手書き情報認識装置は、タッチパネル１１に指やペンが触れる（ペンダウン）までそのままの状態で待機する（ステップＳ１１）。タッチパネル入力制御部３２は、タッチパネル１１に指やペンが触れる（ペンダウン）とそれを検出する（ステップＳ１２）。そして、タッチパネル入力制御部３２は、タッチパネル１１に触れた指やペンの座標を求める。
【００２２】
次いで、認識部３４は、タッチパネル１１に触れた指やペンの座標の情報に基づいて、指やペンが候補表示領域２３内のいずれかの候補の文字を選択しているか否かを判断する（ステップＳ１３）。いずれの候補の文字も選択していない場合（ステップＳ１３：Ｎｏ）、領域判定部３３は、ステップＳ１２で検出された書き始めの点の座標の情報に基づいて、その書き始めの点が始点領域２２に含まれているか否かを判断する（ステップＳ１４）。
【００２３】
領域判定部３３により書き始めの点が始点領域２２内に含まれていると判定された場合（ステップＳ１４：Ｙｅｓ）、認識部３４は、始点領域２２内からの書き始めの直前の段階で一文字の区切りがついたと認識し、それまでに入力された情報に基づいて認識率の最も高い文字をユーザが書いた文字として確定する（ステップＳ１５）。ただし、初めて始点領域２２内から手書きの文字が書き始められたときには、それまでに入力されている手書きの文字の情報がないので、文字の確定は行われない。
【００２４】
また、認識部３４は、今回始点領域２２から書き始められたことによって入力された情報を新たな一文字の開始であると認識して文字の認識処理を行う（ステップＳ１６）。つまり、ユーザが特別な動作を行ったり間を空けたりしなくても、ステップＳ１５で文字の区切りがついて文字が確定すると同時に、次の文字の認識処理が開始される。そして、タッチパネル入力制御部３２が、タッチパネル１１から指やペンが離れる（ペンアップ）のを検出するまで（ステップＳ１７：Ｎｏ）、認識部３４は文字の認識処理を続ける（ステップＳ１６）。
【００２５】
タッチパネル入力制御部３２が、タッチパネル１１から指やペンが離れた（ペンアップ）のを検出すると（ステップＳ１７：Ｙｅｓ）、タイマ管理部３５はタイマにより時間の計測を開始する。そして、タイマ管理部３５は、所定の時間が経過するか否かを判断する（ステップＳ１８）。所定の時間が経過しない間、すなわちタイムアウトにならない間は（ステップＳ１８：Ｎｏ）、タッチパネル入力制御部３２は、タッチパネル１１に指やペンが再び触れる（ペンダウン）のを待つ（ステップＳ１１）。タッチパネル１１に指やペンが再び触れたらステップＳ１２以降の処理を行う。
【００２６】
ステップＳ１１からステップＳ１８までの処理を行っている間に、領域判定部３３により、ステップＳ１２で検出された書き始めの点が入力領域２１内に含まれていると判定されることがある（ステップＳ１４：Ｎｏ）。その場合、認識部３４は、未だ一文字の区切りに至らず、一文字の途中段階であると認識して文字の認識処理を続ける（ステップＳ１６）。
【００２７】
また、ステップＳ１１からステップＳ１８までの処理を行っている間に、タイマにより計測した時間が所定の時間を経過してタイムアウトになることがある（ステップＳ１８：Ｙｅｓ）。その場合、認識部３４は、一文字の区切りがついたと認識し、それまでに入力された情報に基づいて認識率の最も高い文字をユーザが書いた文字として確定する（ステップＳ１９）。
【００２８】
一方、ステップＳ１１からステップＳ１８までの処理を行っている間に、タッチパネル１１に触れた指やペンが候補表示領域２３内のいずれかの候補の文字を選択していることがある（ステップＳ１３：Ｙｅｓ）。その場合、認識部３４は、一文字の区切りがついたと認識し、指やペンが触れている候補表示領域２３内の候補の文字をユーザが書いた文字として確定する（ステップＳ２１）。
【００２９】
ステップＳ１９またはステップＳ２１で文字が確定すると、手書き情報認識装置は、手書きによる文字の入力が終了したか否かを判断する（ステップＳ２０）。終了していない場合には（ステップＳ２０：Ｎｏ）、ステップＳ１１に戻り、ステップＳ１１以降の処理を繰り返す。終了した場合には（ステップＳ２０：Ｙｅｓ）、一連の手書き情報認識処理を終了する。
【００３０】
・平仮名および記号の入力例
図７〜図１０は、手書きによる平仮名の入力例を示す図である。図１１は、手書きによる記号の入力例を示す図である。これらの図の各文字または各記号の表記において、破線の円または楕円で囲む部分は文字または記号の書き始めの点である。点線の円または楕円で囲む部分は書き始めの点と見なされない。点線の円または楕円で囲む部分は、タッチパネル１１に触れながら移動する指またはペンが入力領域２１から始点領域２２へはみ出た部分である。
【００３１】
このように、文字や記号を手書きする際に指またはペンが入力領域２１から始点領域２２へはみ出た場合には、認識部３４は書き始めの点と見なさない。例えば、図６に示す手書き情報認識処理のフローチャートにおいて、タッチパネル１１から指やペンが離れないので（ステップＳ１７：Ｎｏ）、認識部３４は、タッチパネル入力制御部３２から始点領域２２内の座標値が与えられても、一文字の入力が続いていると判断する。
【００３２】
日本語の表記では上または左から文字または記号を書き始めることが多い。従って、図７〜図１１から明らかなように、殆どの平仮名および記号では文字の書き始めの点が始点領域２２内に含まれるように書き始めても問題のないことがわかる。
【００３３】
ただし、図８に示すように、平仮名の「の」については本来入力領域２１の中央部から下方へ向かって書き始められるので、例外として始点領域２２の、入力領域２１の上側部分から書き始めるようにしてもよい。認識部３４は、平仮名の「の」の中央部が上に突き出たような字体を平仮名の「の」として認識するようになっている。認識部３４はこのような例外を考慮して認識処理を行うように構成されている。
【００３４】
また、図１０に示すように、平仮名の「よ」については本来入力領域２１の中央部から右方へ向かって横の線が先に書かれるが、始点領域２２の、入力領域２１の上側部分から縦の線を先に書き始めるようにしてもよい。認識部３４は、書き順に関係なく字体で文字を認識するので、書き順を変えても問題はない。なお、一例として平仮名と一部の記号について示したが、カタカナや他の記号なども同様である。
【００３５】
実施例２によれば、最後の文字を入力する場合と、複数の文字の候補から一つを選択する場合とを除いて、ユーザが次の文字を始点領域２２内から書き始めることによって自動的に一文字の区切りがつくので、実施例１と同様の効果が得られる。
【００３６】
（実施例３）
・手書き情報認識装置の説明
図１２は、実施例３にかかる手書き情報認識装置のハードウェア構成を示すブロック図である。図１２に示すように、手書き情報認識装置は傾斜センサ１５を備えている。傾斜センサ１５は手書き情報認識装置の傾斜度を検出する。実施例３では、傾斜センサ１５により検出された傾斜度に基づいて始点領域２２が入力領域２１の外側の一部に配置される。
【００３７】
図１３および図１４は、実施例３にかかる手書き情報認識装置のタッチパネルの構成を示す図である。例えば図１３に示すように、手書き情報認識装置の傾斜度が予め設定されている閾値よりも小さいときには、始点領域２２が入力領域２１の左および上の二辺に沿って配置されてもよい。上または左から書き始められる文字または記号については図１３に示すように始点領域２２が配置されていれば問題がない。また、例えば図１４に示すように、手書き情報認識装置の傾斜度が予め設定されている閾値よりも大きいときには、始点領域２２が入力領域２１の右および下の二辺に沿って配置されてもよい。例えば図１０に示す読点（「、」）や句点（「。」）を手書きで入力するときには図１４に示すように始点領域２２が配置されているとよい。なお、始点領域２２が傾斜度に応じて入力領域２１の左、右、上または下のいずれか一辺に沿って配置されてもよい。
【００３８】
図１５は、実施例３にかかる手書き情報認識装置の機能的な構成を示すブロック図である。図１５に示すように、手書き情報認識装置は傾斜判定部３７を備えている。傾斜判定部３７は、傾斜センサ１５により検出された傾斜度の情報を領域判定部３３に渡す。傾斜判定部３７は例えば割り込みまたはポーリングによって傾斜センサ１５から傾斜度を得てもよい。傾斜判定部３７は、傾斜センサ１５から得た傾斜度の情報を例えば割り込みまたはポーリングによって領域判定部３３に渡してもよい。領域判定部３３は、傾斜判定部３７から得た傾斜度の情報に基づいて始点領域２２の配置を管理する。始点領域２２の配置を変える場合、領域判定部３３は新しい始点領域２２の配置の情報を表示制御部３１に渡す。表示制御部３１は、領域判定部３３から渡された配置の情報に基づいて始点領域２２を表示する際の画像処理および表示制御を行う。
【００３９】
その他のハードウェア構成および機能的な構成は実施例２と同様である。また、手書き情報認識処理についても実施例２と同様である。
【００４０】
実施例３によれば、手書き情報認識装置を傾けることによって始点領域２２の配置を変えることができるので、始点領域２２が入力領域２１の四辺に沿って配置されていなくても問題はない。つまり、実施例２と同様の効果が得られる。
【００４１】
実施例１〜３の手書き情報認識装置を備えた装置の一例として、例えば携帯電話機や電子辞書などを含む携帯型の電子情報機器が挙げられる。タッチパネルは静電容量方式のパネルでもよいし抵抗膜方式のパネルでもよい。一般に静電容量方式のタッチパネルではパネルの表面から電荷を逃がすのに、指やペンとタッチパネルとの接触面積がある程度大きい必要がある。従って、静電容量方式のタッチパネルを用いる場合にはある程度大きい入力領域２１が必要となる。そのため、小型の携帯機器では入力領域２１の数が一つであることが多い。
【００４２】
実施例１〜３によれば、入力領域２１の数が一つでもユーザが始点領域２２から文字を書き始めることによって一文字の区切りが付くので、ユーザは連続して文字を自然に入力することができる。一方、入力領域２１が二つ以上あれば一文字ごとに文字を書き込む入力領域２１を変えることによって一文字の区切りを付けることができる。このような方式は、抵抗膜方式のタッチパネルに多く採用されている。抵抗膜方式のタッチパネルの場合でも入力領域２１の数が一つである場合には、実施例１〜３の手書き情報認識装置を適用すると静電容量方式のタッチパネルを用いる場合と同様の効果が得られる。また、実施例１〜３は、タブレットを用いて文字を手書きで入力する場合にも応用できる。
【００４３】
上述した実施例１〜３に関し、さらに以下の付記を開示する。
【００４４】
（付記１）手書きの文字が入力される入力領域と、前記入力領域の外側に配置された始点領域と、手書き文字の書き始めの点が前記始点領域に含まれるか否かを判定する領域判定部と、前記領域判定部により手書きの文字の書き始めの点が前記始点領域内に含まれていると判定された場合、該始点領域内からの書き始めの直前の段階で一文字の区切りがついたと認識する認識部と、を備えることを特徴とする手書き情報認識装置。
【００４５】
（付記２）前記入力領域の傾斜度を検出する傾斜センサをさらに備え、前記傾斜センサにより検出された傾斜度に基づいて前記始点領域が前記入力領域の外側の一部に配置されることを特徴とする付記１に記載の手書き情報認識装置。
【００４６】
（付記３）前記始点領域は、前記傾斜度に基づいて前記入力領域の上側に配置される状態と前記入力領域の左側に配置される状態と前記入力領域の下側に配置される状態と前記入力領域の右側に配置される状態とに切り替わるか、または前記傾斜度に基づいて前記入力領域の上側および左側に配置される状態と前記入力領域の下側および右側に配置される状態とに切り替わることを特徴とする付記２に記載の手書き情報認識装置。
【００４７】
（付記４）前記認識部は、前記始点領域内から書き始められ、前記入力領域の中央部に向かって伸び、前記入力領域の中央部において所定の字体に書かれた筆跡情報を、前記始点領域内の書き始めの点から前記入力領域の中央部まで伸びる部分のない文字として認識することを特徴とする付記１〜３のいずれか一つに記載の手書き情報認識装置。
【００４８】
（付記５）前記始点領域内の書き始めの点から前記入力領域の中央部まで伸びる部分のない文字は平仮名の「の」であることを特徴とする付記４に記載の手書き情報認識装置。
【００４９】
（付記６）プロセッサが、入力領域の外側に配置されている始点領域内から手書きの文字が書き始められたか否かを判定するステップと、手書きの文字の書き始めの点が前記始点領域内に含まれていると判定された場合、前記プロセッサが、該始点領域内からの書き始めの直前の段階で一文字の区切りがついたと認識して一文字を確定するステップと、手書きの文字の書き始めの点が前記入力領域内に含まれていると判定された場合、前記プロセッサが、一文字の途中段階であると認識して文字の認識を続けるステップと、をコンピュータに実行させることを特徴とする手書き情報認識プログラム。
【００５０】
（付記７）所定の期間、前記始点領域または前記入力領域からの入力情報がない場合、前記プロセッサは、一文字の区切りがついたと認識して一文字を確定するステップ、をさらに含むことを特徴とする付記６に記載の手書き情報認識プログラム。
【符号の説明】
【００５１】
１  入力領域
２  始点領域
３  領域判定部
４  認識部
１５  傾斜センサ
【図１】
0005671895.tif 000002
【図２】
0005671895.tif 000003
【図３】
0005671895.tif 000004
【図４】
0005671895.tif 000005
【図５】
0005671895.tif 000006
【図６】
0005671895.tif 000007
【図７】
0005671895.tif 000008
【図８】
0005671895.tif 000009
【図９】
0005671895.tif 000010
【図１０】
0005671895.tif 000011
【図１１】
0005671895.tif 000012
【図１２】
0005671895.tif 000013
【図１３】
0005671895.tif 000014
【図１４】
0005671895.tif 000015
【図１５】
0005671895.tif 000016